(57)【要約】      （修正有）【課題】堅牢で、組立が容易で、かつ分解した際の収納スペースが小さく、保管、運搬が容易な焚火台を提供する。【解決手段】組立式焚き火台１０は、焚き火の状態にダッチオーブンを支持することが可能な焚き火台であって、ダッチオーブンの底部を支持することが可能な金属環状支持部２０と、金属環状支持部２０に等間隔に固定された３個以上の金属ナット部３０と、金属ナット部３０に螺着により着脱可能な金属ボルト脚部４０と、を含む。【選択図】図１
2020012597.tif 000002
【特許請求の範囲】
【請求項１】
焚き火の状態にダッチオーブンを支持することが可能な焚き火台であって、
ダッチオーブンの底部を支持することが可能な金属環状支持部と、
前記金属環状支持部に等間隔に固定された３個以上の金属ナット部と、
前記金属ナット部に螺着により着脱可能な金属ボルト脚部と、
を含むことを特徴とする組立式焚き火台。
【請求項２】
前記金属環状支持部は、
異形鉄筋を環状に曲げて両端部を溶接部により固定した構造であることを特徴とする請求項１に記載の組立式焚き火台。
【請求項３】
前記金属ナット部は、
ステンレスで成形して前記金属環状支持部に溶接部により固定した構造であることを特徴とする請求項１または請求項２に記載の組立式焚き火台。
【請求項４】
前記金属ボルト脚部は、
ボルトの頭部を設置部とすることを特徴とする請求項１乃至請求項３のいずれか１項に記載の組立式焚き火台。
【請求項５】
前記金属環状支持部及び前記金属ボルト脚部は、
前記金属環状支持部の金属ナット部から前記金属ボルト脚部を取り外した状態で、
前記ダッチオーブンの内部に収納可能であることを特徴とする請求項１乃至請求項４のいずれか１項に記載の組立式焚き火台。 
【発明の詳細な説明】
【技術分野】
【０００１】
この発明は、主に野外での調理に適し、運搬の際には分解してコンパクトに収納可能で、使用の際には簡単に組立及び設置が可能な組立式焚き火台に関するものである。
【背景技術】
【０００２】
例えば、家庭単位、職場単位、地域単位のレクレーションやキャンプなどで、野外で料理を楽しむためにダッチオーブンが用いられる。このダッチオーブンは、鋳鉄製、アルミ製又は耐熱陶器製であり、食材を芯まで加熱することでき且つ食材のうまみを引き出すことができる。
【０００３】
このダッチオーブンは、焚き火台に乗せて料理を楽しむが、この焚き火台として、特許文献１には、Ｗ字型に折りたたみが可能な焚き火台が開示されている。
【先行技術文献】
【特許文献】
【０００４】
【特許文献１】特開２００４−２０５１０５号公報
【発明の概要】
【発明が解決しようとする課題】
【０００５】
特許文献１に開示されている焚き火台を含め、市販品の多くは、薄い鋼板で構成され、折りたたみ可能とするため蝶番を用いているため、必ずしも十分な堅牢さを有せず、折りたたんだ状態でも、かなりの収納スペースを要するのが実状である。
【０００６】
このような焚き火台では、焚き火台の上に金網を載せたり、金属の棒を並べたりして、肉、魚、野菜などの食材を焼くというのが一般的な使用方法であり、ダッチオーブンを載せて用いるのには、必ずしも適していない。このため、ダッチオーブンを用いる際は、地面に穴を掘るか、適当な大きさの石を組立てて焚き火台を構成するか、据え付け型のかまどを用いる必要がある。
【０００７】
この発明は、かかる事情に鑑みて創案されたものであって、その目的とするところは、堅牢で、組立が容易で、かつ分解した際の収納スペースが小さく、保管、運搬が容易な組立式焚き火台を提供することにある。
【課題を解決するための手段】
【０００８】
前記課題を解決し、かつ目的を達成するために、この発明は、以下のように構成した。
【０００９】
請求項１の記載の発明は、焚き火の状態にダッチオーブンを支持することが可能な焚き火台であって、
ダッチオーブンの底部を支持することが可能な金属環状支持部と、
前記金属環状支持部に等間隔に固定された３個以上の金属ナット部と、
前記金属ナット部に螺着により着脱可能な金属ボルト脚部と、
を含むことを特徴とする組立式焚き火台である。
【００１０】
請求項２の記載の発明は、前記金属環状支持部は、
異形鉄筋を環状に曲げて両端部を溶接部により固定した構造であることを特徴とする請求項１に記載の組立式焚き火台である。
【００１１】
請求項３の記載の発明は、前記金属ナット部は、
ステンレスで成形して前記金属環状支持部に溶接部により固定した構造であることを特徴とする請求項１または請求項２に記載の組立式焚き火台である。
【００１２】
請求項４の記載の発明は、前記金属ボルト脚部は、
ボルト頭部を設置部とすることを特徴とする請求項１乃至請求項３のいずれか１項に記載の組立式焚き火台である。
【００１３】
請求項５の記載の発明は、前記金属環状支持部及び前記金属ボルト脚部は、
前記金属環状支持部の金属ナット部から前記金属ボルト脚部を取り外した状態で、
前記ダッチオーブンの内部に収納可能であることを特徴とする請求項１乃至請求項４のいずれか１項に記載の組立式焚き火台である。
【発明の効果】
【００１４】
前記構成により、この発明は、以下のような効果を有する。
【００１５】
請求項１乃至請求項５に記載の発明では、組立式焚き火台を使用する際には、金属環状支持部の金属ナット部に、金属ボルト脚部を螺着により金属ボルト脚部を取り付け、ダッチオーブンを金属環状支持部の上に載せて用いる。この組立式焚き火台を使用しないときには、金属ナット部から金属ボルト脚部を取り外し、ダッチオーブンの内部に、金属環状支持部及び金属ボルト脚部を収納することができ、堅牢で、組立が容易で、かつ分解した際の収納スペースが小さく、保管、運搬が容易である。
【図面の簡単な説明】
【００１６】
【図１】組立式焚き火台の組立状態の斜視図である。
【図２】組立部の断面図である。
【図３】組立式焚き火台の組立前の斜視図である。
【図４】金属環状支持部を示す図である。
【図５】組立式焚き火台を使用する状態の側面図である。
【図６】組立式焚き火台を収納する状態の平面図である。
【発明を実施するための形態】
【００１７】
以下、この発明の組立式焚き火台の実施の形態について説明する。この実施の形態は組立式焚き火台の好ましい形態を示すものであるが、この発明はこれに限定されない。
【００１８】
（組立式焚き火台の構成）  この実施の形態の組立式焚き火台の構成を、図１乃至図４に基づいて説明する。図１は組立式焚き火台の組立状態の斜視図、図２は組立部の断面図、図３は組立式焚き火台の組立前の斜視図、図４は金属環状支持部を示す図である。
【００１９】
この実施の形態の組立式焚き火台１０は、焚き火の状態にダッチオーブンを支持することが可能な焚き火台であって、ダッチオーブンの底部を支持することが可能な金属環状支持部２０と、金属環状支持部２０に等間隔に固定された３個以上の金属ナット部３０と、金属ナット部３０に螺着により着脱可能な金属ボルト脚部４０と、を含む構成である。   
【００２０】
金属環状支持部２０は、鉄筋２１を環状に曲げて両端部を溶接部２２により固定した構造で、ダッチオーブンの底部を支持することが可能な大きさに形成される。鉄筋２１は、鉄筋本体の外周に突条を有する異形鉄筋を用いるが、必ずしも異形鉄筋でなくても良く、例えば丸鋼であっても良い。
【００２１】
金属ナット部３０は、市販のナット３１を用い、ナット３１を金属環状支持部２０に等間隔に溶接部３２により固定した構成である。ナット３１は、ステンレスで成形したものが好ましく、錆びないで長期間使用することができる。金属ナット部３０は、金属環状支持部２０に等間隔に固定された３個以上であればよいが、４個以上固定すると、使用時の組立式焚き火台１０がより安定する。
【００２２】
金属ボルト脚部４０は、市販のボルト４１を用いる。このボルト４１は、鉄で形成したもの、ステンレスで成形したものであるが、ステンレスで成形したものが好ましく、錆びないで長期間使用することができる。
【００２３】
ボルト４１のネジ部４１ａに緩み止めナット４２を有し、ボルト４１のネジ部４１ａを金属ナット部３０のナット３１に螺着により着脱可能な構成である。この螺着は、金属ナット部３０のナット３１が金属環状支持部２０の鉄筋２１に溶接部３２で固定されているから、ボルト４１のネジ部４１ａの先端が、金属環状支持部２０の鉄筋２１に当接して位置決めされ、この位置で緩み止めナット４２を締め付ける。金属ナット部３０のナット３１と緩み止めナット４２が、締結すべきダブルナットを構成する。
【００２４】
金属ボルト脚部４０は、ボルト４１の頭部４１ｂを設置部とし、ボルト４１の頭部４１ｂが設置面積を確保して安定した支持を可能とする。
【００２５】
金属環状支持部２０及び金属ボルト脚部４０は、金属環状支持部２０の金属ナット部３０から金属ボルト脚部４０を取り外した状態で、金属環状支持部２０の外形がダッチオーブンの内部に収納可能な大きさであり、金属ボルト脚部４０の長さがダッチオーブンの内部に収納可能な長さである。
【００２６】
（組立式焚き火台の使用）  この実施の形態の組立式焚き火台の使用を、図５及び図６に基づいて説明する。図５は組立式焚き火台を使用する状態の側面図、図６は組立式焚き火台を収納する状態の平面図である。
【００２７】
例えば、野外でバーベキューなどの料理を楽しむ際には、ダッチオーブン５０と組立式焚き火台１０を持参する。この持参する際には、組立式焚き火台１０は、図６に示すように、金属環状支持部２０の金属ナット部３０から金属ボルト脚部４０を取り外し、ダッチオーブン５０の内部に、金属環状支持部２０及び金属ボルト脚部４０を収納した状態であり、ダッチオーブン５０と組立式焚き火台１０は、一緒に運搬される。
【００２８】
ダッチオーブン５０と組立式焚き火台１０を使用する際には、ダッチオーブン５０の内部から金属環状支持部２０及び金属ボルト脚部４０を取り出して、組立式焚き火台１０を組み立てる。
【００２９】
組立式焚き火台１０の組み立ては、金属環状支持部２０の金属ナット部３０に、金属ボルト脚部４０を１本ずつ螺着する。この螺着は、金属ボルト脚部４０のネジ部４１ａの先端が、金属環状支持部２０の鉄筋２１に当接して位置決めされ、この位置で緩み止ナット４２を締め付ける。
【００３０】
４本の金属ボルト脚部４０を、順次、金属環状支持部２０の金属ナット部３０に螺着により取り付けると、組立式焚き火台１０の組み立てが完了する。そして、組み立てた組立式焚き火台１０を所定位置に設置し、図５に示すように、ダッチオーブン５０を金属環状支持部２０の上に載せて用いる。金属ボルト脚部４０は、ボルト頭部４１ｂを設置部とすることで、設置面積が大きくなっており、安定した支持が可能である。
【００３１】
野外でバーベキューなどが終了すると、ダッチオーブン５０と組立式焚き火台１０を洗浄し、組立式焚き火台１０は、金属環状支持部２０の金属ナット部３０から金属ボルト脚部４０を取り外し、ダッチオーブン５０の内部に、金属環状支持部２０及び金属ボルト脚部４０を収納することができ、堅牢で、組立が容易で、かつ分解した際の収納スペースが小さく、ダッチオーブン５０と組立式焚き火台１０を一緒にして持ち帰ることができ、保管、運搬が容易である。
【産業上の利用可能性】
【００３２】
この発明は、主に野外での調理に適し、運搬の際には分解してコンパクトに収納可能で、使用の際には簡単に組立及び設置が可能な組立式焚き火台に適用され、堅牢で、組立が容易で、かつ分解した際の収納スペースが小さく、保管、運搬が容易である。
【符号の説明】
【００３３】
１０  組立式焚き火台
２０  金属環状支持部
２１  鉄筋
２２  溶接部
３０  金属ナット部
３１  ナット
３２  溶接部
４０  金属ボルト脚部
４１  ボルト
４１ａ  ボルトのネジ部
４１ｂ  ボルトの頭部
４２  緩み止めナット
【図１】
2020012597.tif 000003
【図２】
2020012597.tif 000004
【図３】
2020012597.tif 000005
【図４】
2020012597.tif 000006
【図５】
2020012597.tif 000007
【図６】
2020012597.tif 000008